(57)【要約】【課題】シートバックの起倒状態をより操作性良く調整することにある。【解決手段】第一リンクアーム１１の起倒動作をロック部材２０で規制しつつ、連結部材３０を伸縮させて、第一リンクアーム１１に対して第二リンクアーム１２を傾倒させることにより、シートクッション４に対してシートバック６を起倒可能とするとともに、第一リンクアーム１１に対するロック部材２０の規制を解除して、第一リンクアーム１１を傾斜させることにより、非伸縮状態で維持された連結部材３０を介して第二リンクアーム１２を傾斜させて、シートクッション４に向けてシートバック６を倒す構成とした。【選択図】図４
2013107457.tif 000002
【特許請求の範囲】
【請求項１】
シートクッションと、前記シートクッションに対して起倒可能に連結するシートバックと、前記シートクッションに対する前記シートバックの起倒状態を調整可能な調整部材とを有する車両用シートにおいて、
前記調整部材が、前記シートクッションに対して相対的に起倒可能な第一リンクアームと、前記シートクッションに設けられて前記第一リンクアームの起倒動作を規制するロック部材と、前記シートバックに固定されて前記第一リンクアームに対面配置する第二リンクアームと、前記第一リンクアームと前記第二リンクアームを連結して直線方向に伸縮可能な連結部材とを有し、
前記第一リンクアームの起倒動作を前記ロック部材で規制しつつ、前記連結部材を伸縮させて、前記第一リンクアームに対して前記第二リンクアームを傾倒させることにより、前記シートクッションに対して前記シートバックを起倒可能とするとともに、
前記第一リンクアームに対する前記ロック部材の規制を解除して、前記第一リンクアームを傾斜させることにより、非伸縮状態で維持された前記連結部材を介して前記第二リンクアームを傾斜させて、前記シートクッションに向けて前記シートバックを倒す構成とした車両用シート。
【請求項２】
前記連結部材が、伸縮可能なガススプリング機構を有する請求項１に記載の車両用シート。
【発明の詳細な説明】
【技術分野】
【０００１】
本発明は、シートクッションと、シートバックと、調整部材（シートクッションに対するシートバックの起倒状態を調整する部材）を備えた車両用シートに関する。
【背景技術】
【０００２】
この種の車両用シートとして、シートクッションと、シートバックと、調整部材（シートバックの起倒状態を調整する部材）を備えた車両用シートが公知である（特許文献１の［図６］及び［図７］を参照）。
公知技術では、シートバック両側に第一平板部材を設けて、シートバック下部から延出させる。またシートクッションの後部両側に第二平板部材を設けて、第一平板部材に対面可能に突出させる。
そして第一平板部材（シートバック）にリクライニング軸を橋渡し状に固定する。つぎにリクライニング軸を第二平板部材（シートクッション）に回転可能に連結することで、シートクッションに対してシートバックを相対回転（起倒）可能に連結する。
【０００３】
そして調整部材は、ガススプリング機構を備える部材（円筒状）であり、棒状のピストンロッドと、プッシュロッドを有する。
ピストンロッドは、調整部材一端側の部材であり、調整部材内のガス流れが許容されることで、調整部材内外にスライド移動可能である。またプッシュロッドは、調整部材他端側の部材であり、調整部材内のガス室開閉弁に接続される。
そしてプッシュロッドを調整部材内に押圧しつつガス室開閉弁を開放することで、調整部材内のガス流れが許容される。このときピストンロッドが、調整部材内のガス圧により、調整部材外に向けて（調整部材から引出される向きに）付勢される。
またプッシュロッドを非押圧状態として（ロック状態として）、調整部材内のガス室開閉弁を閉鎖することで（ガス流れを規制することで）、ピストンロッドのスライド移動が規制される。
【０００４】
公知技術では、調整部材の他端を、シートバックの第一平板部材（リクライニング軸の下方）に取付けるとともに、ピストンロッドを、シートクッションの前端に取付ける。
そしてプッシュロッドを押圧しつつ、調整部材からピストンロッドを引出して、第一平板部材（下部）をシート後方に押圧する。この第一平板部材の押圧により、第一平板部材（上部）がリクライニング軸周りに回転することで、シートクッションに対してシートバックが前傾状態となる。
またプッシュロッドを押圧しつつ、ピストンロッドを（ガス圧に抗して）調整部材内に押込めることで、シートバックを起立又は後傾させることができる。
【先行技術文献】
【特許文献】
【０００５】
【特許文献１】実開平５‐３４９４０号公報
【発明の概要】
【発明が解決しようとする課題】
【０００６】
ところで上述のシート構成では、シートクッションに向けてシートバックを倒す（大倒しする）ことで、乗員の通過可能なスペースを確保できる（ウォークイン可能となる）。
しかし公知技術の構成では、プッシュロッドを押圧しつつ（調整部材の伸縮可能状態を維持しつつ）シートバックを大倒しするため、やや操作性に劣る構成であった。
また公知技術では、大倒し状態のシートバックを元の状態に復帰させる場合にも、プッシュロッドを押圧しつつ、シートバックを徐々に元に戻す必要があった（シートバック状態を再調整する必要があった）。
本発明は上述の点に鑑みて創案されたものであり、本発明が解決しようとする課題は、シートバックの起倒状態をより操作性良く調整することにある。
【課題を解決するための手段】
【０００７】
上記課題を解決するための手段として、第１発明の車両用シートは、シートクッションと、シートクッションに対して起倒可能に連結するシートバックと、シートクッションに対するシートバックの起倒状態を調整可能な調整部材とを有する。
そして調整部材により、シートクッションに対してシートバックを起倒（前傾、後傾、起立、大倒し等）させるのであるが、この種のシート構成では、シートバックの起倒状態を操作性良く調整できることが望ましい。
【０００８】
そこで本発明では、上述の調整部材が、シートクッションに対して相対的に起倒可能な第一リンクアームと、シートクッションに設けられて第一リンクアームの起倒動作を規制するロック部材と、シートバックに固定されて第一リンクアームに対面配置する第二リンクアームと、第一リンクアームと第二リンクアームを連結して直線方向に伸縮可能な連結部材とを有する。
そして第一リンクアームの起倒動作をロック部材で規制しつつ、連結部材を伸縮させて、第一リンクアームに対して第二リンクアームを傾倒させることにより、シートクッションに対してシートバックを起倒（例えば前傾や起立や後傾）可能とする。
さらに第一リンクアームに対するロック部材の規制を解除して、第一リンクアームを傾斜させることにより、非伸縮状態で維持された連結部材を介して第二リンクアームを傾斜させて、シートクッションに向けてシートバックを倒す構成とした。
【０００９】
本発明では、連結部材の伸縮動作により、従来通り、シートクッションに対してシートバックを起倒可能である。
さらにロック部材の規制解除により、連結部材を伸縮させることなく（比較的手間いらずで）、シートクッションに向けてシートバックを倒すことができる（大倒し可能である）。このため本発明では、連結部材の伸縮状態を維持しつつ（大倒し以前のシート状態を維持しつつ）、シートバックを大倒しする。このため大倒し状態のシートバックを起こしつつ、第一リンクアームをロック部材にロックすることで、シートバックを大倒し以前の状態（傾倒、起立、後傾状態等）に復帰できる。
【００１０】
第２発明の車両用シートは、第１発明の車両用シートであって、上述の連結部材が、伸縮可能なガススプリング機構を有する（比較的シンプルな構成である）。
【発明の効果】
【００１１】
本発明に係る第１発明によれば、シートバックの起倒状態をより操作性良く調整することができる。また第２発明によれば、比較的シンプルな構成により、シートバックの起倒状態をより操作性良く調整することができる。
【図面の簡単な説明】
【００１２】
【図１】車両用シートの概略側面図である。
【図２】ロック部材一部の側面図である。
【図３】（ａ）は、ロック時のガススプリングの概略断面図であり、（ｂ）は、ロック解除時のガススプリングの概略断面図であり、（ｃ）は、伸長時のガススプリングの概略断面図である。
【図４】（ａ）は、通常時の車両用シートの概略側面図であり、（ｂ）は、後傾時の車両用シートの概略側面図であり、（ｃ）は、ロック解除時の車両用シートの概略側面図である。
【発明を実施するための形態】
【００１３】
以下、本発明を実施するための形態を、図１〜図４を参照して説明する。各図には、適宜、車両用シート前方に符号Ｆ、車両用シート後方に符号Ｂ、車両用シート上方に符号ＵＰ、車両用シート下方に符号ＤＷを付す。
図１の車両用シート２は、シートクッション４と、シートバック６と、ヘッドレスト８と、調整部材１０を有する（各部材の詳細は適宜後述する）。
シートバック６は、シートクッション４に対して起倒可能に連結するとともに、調整部材１０にて、複数の状態（前傾状態、起立状態、後傾状態等）に変位可能である（図４（ａ）（ｂ）を参照）。そしてシートクッション４に向けてシートバック６を倒す（大倒しする）ことで、乗員の乗降などを比較的スムーズに行うことができる（図４（ｃ）を参照）。この種のシート構成では、シートバック６の起倒状態を操作性良く調整できることが望ましい。
そこで本実施例では、後述の構成により、シートバック６の起倒状態を操作性良く調整することとした。以下、各構成について詳述する。
【００１４】
［シートクッション］
シートクッション４は、平坦な略長方形状（側面視）の部材であり、台座部４ａと、ブラケット部４ｂと、後述の構成（第一リンクアーム１１、ロック部材２０）を有する（図１を参照）。
台座部４ａは、略矩形の箱体であり、組付け部４ｃを有する。組付け部４ｃは、台座部４ａ側面の凹部であり、後述の第一リンクアーム１１（調整部材１０）を取付けることができる。
またブラケット部４ｂは、シートクッション４後部の突出部位（略半円状）であり、リクライニング軸Ｒ（後述）を回転可能に挿入する貫通孔を有する。
本実施例では、車室床面ＦＬに台座部４ａを固定しつつ、台座部４ａ上に、シートクッション４を配設する。そして組付け部４ｃを台座部４ａの前側上部に形成するとともに、後述のロック部材２０（調整部材１０）を台座部４ａに固定する。
【００１５】
［シートバック］
シートバック６は、平坦な略長方形状（側面視）の部材であり、リクライニング軸Ｒと、後述の第二リンクアーム１２（調整部材１０）を有する（図１を参照）。リクライニング軸Ｒは、シート幅方向に延びる棒状部材であり、シートバック６（シート骨格をなすフレーム部材）下部に回転不能に固定できる。
本実施例では、シートクッション４後部にシートバック６を配置しつつ、リクライニング軸Ｒをブラケット部４ｂ（貫通孔）に回転可能に挿入する。これによりシートクッション４に対してシートバック６を相対回転（起倒）可能に連結できる。そして調整部材１０（後述）にて、シートクッション４に対するシートバック６の起倒状態を調整することとした。
【００１６】
［調整部材］
調整部材１０は、シートバック６の起倒状態を調整する部材であり、第一リンクアーム１１と、第二リンクアーム１２と、ロック部材２０と、連結部材３０を有する（図１〜図３を参照）。
本実施例では、車両用シート２の両側に、それぞれ調整部材１０を取付けることができる。このとき第一リンクアーム１１をシートクッション４に取付ける。第一リンクアーム１１は、シートクッション４に対して相対的に起倒可能であるとともに、この起倒動作をロック部材２０にて規制可能である。
また第二リンクアーム１２をシートバック６に固定しつつ、第二リンクアーム１２（下部側）を第一リンクアーム１１に対面配置する。そして連結部材３０にて、第一リンクアーム１１と第二リンクアーム１２を連結することとした。
【００１７】
（第一リンクアーム）
第一リンクアーム１１は、略長方形状（正面視）の平板部材であり、第一連結部位１１ａと、回転部位１１ｂと、軸部位１１ｃを有する（図１及び図２を参照）。
第一連結部位１１ａは、第一リンクアーム１１一端の貫通孔であり、連結部材３０（後述）の一端を取付けることができる。また回転部位１１ｂは、第一リンクアーム１１他端の短筒状の凸部位であり、台座部４ａ（組付け部４ｃ）に回転可能に取付けることができる。そして軸部位１１ｃは、第一リンクアーム１１の途中（ロック部材２０に対面可能な位置）に設けられる円筒状の部位である。
本実施例では、第一リンクアーム１１を起立させつつ、回転部位１１ｂを組付け部４ｃに回転可能に取付ける。こうすることで第一リンクアーム１１を、回転部位１１ｂを回転中心として、シートクッション４に対して相対的に起倒可能に取付けることができる。
そして第一リンクアーム１１（起立状態）において、軸部位１１ｃを、ロック部材２０（後述）に係止することで、第一リンクアーム１１の相対回転（傾倒動作）を規制する構成とする。
【００１８】
（第二リンクアーム）
第二リンクアーム１２は、略長方形状（正面視）の平板部材であり、第二連結部位１２ａと、固定部位１２ｂと、回転孔部位１２ｃを有する（図１を参照）。
第二連結部位１２ａは、第二リンクアーム１２一端の貫通孔であり、連結部材３０（後述）の他端を取付け可能である。また固定部位１２ｂは、第二リンクアーム１２他端の貫通孔であり、軸材（図示省略）を介して、シートバック６途中に固定可能である。そして回転孔部位１２ｃは、第二リンクアーム１２途中（略円形の部分）の貫通孔であり、リクライニング軸Ｒを回転不能に挿設できる。
本実施例では、起立状態のシートバック６を基準として、第二リンクアーム１２を起立させつつシートバック６側方に配置して、第二リンクアーム１２下部を、第一リンクアーム１１に対面配置する。またリクライニング軸Ｒを回転孔部位１２ｃに挿設することで、第二リンクアーム１２の起倒動作により、シートバック６を起倒可能とする。
なお本実施例の第二リンクアーム１２は、シートバック６の起立姿勢に応じて、第二リンクアーム１２の他側（上部）が、一側（下部）に比べてシート後方に屈曲する。
【００１９】
（ロック部材）
ロック部材２０は、第一リンクアーム１１の起倒動作を規制する部材であり、台座部４ａの前端（組付け部４ｃよりも前側）に固定できる（図１及び図２を参照）。
ロック部材２０は、一対のベース部材２２と、プレート部材２４と、ポール部材２６と、レバー部材２７と、スプリング部材２８と、操作ワイヤ２９を有する。
一対のベース部材２２（略矩形の平板部材）は互いに対向して台座部４ａに固定されており、これら両ベース部材２２間に、プレート部材２４とポール部材２６が軸支される。
プレート部材２４（略矩形の平板部材）はシート上方に配置しつつ、第一支持ピンＰ１を介して回動可能に軸支される。またポール部材２６（略矩形の平板部材）は、プレート部材２４に当接（係合）しつつシート下方に配置して、第二支持ピンＰ２を介して回動可能に軸支される。
【００２０】
そしてレバー部材２７は、略長方形状の平板部材であり、ポール部材２６に固定されて（ポール部材２６と一体的に）第二支持ピンＰ２を介して回動可能に支持される。
またスプリング部材２８は、コイルバネ状の部材であり、プレート部材２４とレバー部材２７の間に掛止される。
本実施例では、プレート部材２４とポール部材２６が、スプリング部材２８の付勢力にて互いに係合し、プレート部材２４のフック部２４ａ（凹状部位）にて第一リンクアーム１１（軸部位１１ｃ）が係合される。これによりロック部材２０にて、第一リンクアーム１１の起倒動作を規制できる。
そして操作ワイヤ２９をポール部材２６に取付けたのち、操作ワイヤ２９を牽引して、ポール部材２６を、スプリング部材２８に抗して矢印方向へ回転させる。これによりプレート部材２４とポール部材２６の係合が解かれて、第一リンクアーム１１が、プレート部材２４（フック部２４ａ）から離脱して一対のベース部材２２から退出可能となる（第一リンクアーム１１に対するロック部材２０の規制が解除される）。
本実施例では、操作ワイヤ２９を牽引するだけで（一度の解除動作により）、第一リンクアーム１１に対するロック部材２０の規制を解除できる。
【００２１】
（連結部材）
連結部材３０は、第一リンクアーム１１と第二リンクアーム１２を連結する部材であり、直線方向（例えばシート前後方向）に伸縮可能である（図１及び図３を参照）。
本実施例の連結部材３０（一端開放状の中空筒部材）は、ガススプリング構造を有しており、スライド部３２と、ピストンロッド３４と、複数の被連結部位（第一被連結部位３６ｆ、第二被連結部位３６ｓ）を有する。
スライド部３２は、連結部材３０一端に嵌装される部材（略矩形）であり、連結部材３０内外に（無段階的に）スライド移動可能である。またピストンロッド３４は、棒状の部材であり、先端側に閉鎖弁３５（円盤状）を有する。
そして第一被連結部位３６ｆは、連結部材３０の他端に突出する部位（半円状）であり、中央に貫通孔Ｈを有する。また第二被連結部位３６ｓは、スライド部３２の一端に突出する部位（半円状）であり、中央に貫通孔Ｈを有する。
【００２２】
ここで連結部材３０の内部は、第一区画壁４１により、第一ガス室３０ａと第二ガス室３０ｂに区画される。
第一区画壁４１の中央には連通孔３０Ｈが設けられており、第一ガス室３０ａと第二ガス室３０ｂの間でガスの行き来が可能である。そして第一ガス室３０ａは、連結部材３０内に摺動可能に取付けられた第二区画壁４２により区画される。
本実施例では、ピストンロッド３４を、連結部材３０内の筒状部位内にスライド移動可能に配置する。このとき閉鎖弁３５を、連通孔３０Ｈに通しつつ第二ガス室３０ｂ内に配置するとともに、ピストンロッド３４を連結部材３０の他端側から突出させる。そして閉鎖弁３５にて連通孔３０Ｈを閉鎖することにより、第一ガス室３０ａと第二ガス室３０ｂの間でガスの行き来が不能となり、連結部材３０に対するスライド部３２の移動が規制される。
また操作部材（図示省略）を介して、ピストンロッド３４を押込みつつ連通孔３０Ｈを開放することにより、第一ガス室３０ａと第二ガス室３０ｂの間でガスの行き来が可能となり、連結部材３０に対するスライド部３２の移動が許容される。
【００２３】
そして本実施例では、連結部材３０にて、第一リンクアーム１１と第二リンクアーム１２を連結する（図１及び図３を参照）。
このとき第一連結部位１１ａと第一被連結部位３６ｆを互いに嵌め合しつつ回転可能に連結することで、連結部材３０他端を第一リンクアーム１１下部に取付ける。また第二連結部位１２ａと第二被連結部位３６ｓを互いに嵌め合しつつ回転可能に連結することで、連結部材３０一端（スライド部３２）を第二リンクアーム１２下部に取付ける。
こうすることで連結部材３０の伸長（スライド部３２の引出し）により、第一リンクアーム１１下部と第二リンクアーム１２下部の離間寸法Ｌ１が拡開される。また連結部材３０の短縮（スライド部３２の引込み）により、第一リンクアーム１１下部と第二リンクアーム１２下部の離間寸法Ｌ１が短縮される。
【００２４】
［シートバックの起倒状態の調整］
図１及び図４を参照して、第一リンクアーム１１の起倒動作をロック部材２０で規制しつつ、連結部材３０を伸縮させてシートバック６を状態変位させる。
例えば連結部材３０の伸長により両リンクアーム１１，１２の離間寸法Ｌ１を拡開することで、第二リンクアーム１２下部をシート後方に押圧する。この第二リンクアーム１２下部の押圧により、第二リンクアーム１２上部がリクライニング軸Ｒ周りに回転することで、シートクッション４に対してシートバック６が前傾状態となる。
また連結部材３０の短縮により両リンクアーム１１，１２の離間寸法Ｌ１を短縮することで、シートバック６を起立又は後傾させることができる。
これにより従来通り、シートクッション４に対してシートバック６を、無段階的に起倒（例えば前傾や起立や後傾）させることができる。
【００２５】
そして上述のシート構成では、シートクッション４に向けてシートバック６を大倒しすることで、乗員の通過可能なスペースを確保する（ウォークイン可能となる）ことが望ましい（図４（ｃ）を参照）。
そこで本実施例では、操作ワイヤ２９を牽引して、第一リンクアーム１１に対するロック部材２０の規制を解除する（ロック解除状態とする）。つぎに第一リンクアーム１１を傾斜させるとともに、非伸縮状態で維持された連結部材３０を介して第二リンクアーム１２を傾斜させる。こうすることでシートクッション４に向けてシートバック６を倒すことができる。
さらに本実施例では、連結部材３０の伸縮状態を維持しつつ（大倒し以前のシート状態を維持しつつ）シートバック６を大倒しできる。このため大倒し状態のシートバック６を起こしつつ、第一リンクアーム１１をロック部材２０にロックすることで、シートバック６を大倒し以前の状態（傾倒又は起立状態）に復帰できる。
【００２６】
以上説明したとおり本実施例では、連結部材３０の伸縮により、従来通りシートクッション４に対してシートバック６を無段階的に起倒可能である。
また本実施例では、ロック部材２０の規制解除（一度の解除作業）により、連結部材３０を伸縮させることなく（比較的手間いらずで）、シートクッション４に向けてシートバック６を倒すことができる。そして大倒し状態のシートバック６を起こしつつ、第一リンクアーム１１をロック部材２０にロックすることで、シートバック６を大倒し以前の状態に復帰できる。
そして本実施例では、連結部材３０が、伸縮可能なガススプリング機構を有する（比較的シンプルな構成である）。
このため本実施例によれば、シートバック６の起倒状態をより操作性良く調整することができる。
【００２７】
本実施形態の車両用シート２は、上述した実施形態に限定されるものではなく、その他各種の実施形態を取り得る。
（１）本実施形態では、ガススプリング機構を備える調整部材１０を例示したが、調整部材１０の構成を限定する趣旨ではない。
例えば調整部材として、第一レール部材（シート前後に長尺な部材）と、第一レール部材に摺動可能に連結する第二レール部材（シート前後に長尺な部材）を使用できる。第一レール部材と第二レール部材は、互いに直線方向（長尺方向）に相対移動したのち、ロック部により相対位置関係が維持される構成である。
【００２８】
（２）また本実施形態では、第一リンクアーム１１（軸部位１１ｃ）とロック部材２０のロック構成を例示したが、同ロック構成を限定する趣旨ではない。
例えば第一リンクアームが、ロック部材の構成（一対のベース部材，プレート部材，ポール部材，レバー部材，スプリング部材，操作ワイヤ）を有するとともに、ロック部材が、第一リンクアームの構成（軸部位）を有することができる。
また同ロック構成として、第一リンクアームのストライカと、ストライカを着脱可能に保持するロック部材とを備えた構成を例示できる（例えば特開２０１１‐０８４０９５号公報を参照）。
（３）また本実施形態では、ロック部材２０の構成を例示したが、同部材の構成を限定する趣旨ではない。
（４）また本実施形態では、シート構成部材４，６，８と調整部材１０を台座部４ａに配設する例を説明した。台座部４ａの代替として、シートクッションの前部及び後部にそれぞれ脚部材（平板状）を設けて、これら脚部材に、調整部材１０を配設できる。
【符号の説明】
【００２９】
２     車両用シート
４     シートクッション
６     シートバック
８     ヘッドレスト
４ａ   台座部
４ｂ   ブラケット部
１０   調整部材
１１   第一リンクアーム
１２   第二リンクアーム
２０   ロック部材
３０   連結部材
Ｒ     リクライニング軸
【図１】
2013107457.tif 000003
【図２】
2013107457.tif 000004
【図３】
2013107457.tif 000005
【図４】
2013107457.tif 000006